(57)【特許請求の範囲】
【請求項１】
無線通信デバイスを制御する方法において、前記方法は、
固定された複数のサブセグメントから構成されるフレームを送信することと、ここで、少なくとも一つのサブセグメントは、電力制御グループとして定義される、
一つの電力制御ビットのシンボル位置において、前記送信フレームが復号されたことを示す確認メッセージを受信することと、ここで、該確認メッセージは、該送信フレームに割り当てられる全ての電力制御グループの伝送の完了の前に、一つの受信電力制御ビットのシンボル位置において受信される、
前記確認メッセージに応答して前記フレームに関連する電力制御グループの伝送を終了することを含む方法。
【請求項２】
前記確認メッセージは、アクティブ・セット中の任意のセルから受信可能である請求項１の方法。
【請求項３】
前記無線通信デバイスはアクセス端末を含む請求項１または２の方法。
【請求項４】
前記確認メッセージは、アクセスポイントから受信される請求項１ないし３のいずれか１項の方法。
【請求項５】
前記無線通信デバイスはアクセスポイントを含む請求項１または２の方法。
【請求項６】
前記確認メッセージは、アクセス端末から受信される請求項１、２または５の方法。
【請求項７】
無線通信デバイスを制御する方法において、前記方法は、
固定された複数のサブセグメントから構成される送信フレームを受信することと、ここで、該サブセグメントの少なくとも一つは、電力制御グループとして定義される、
受信された前記送信フレームの複数の電力制御グループの各々を復号化することと、
フレームの成功裏の復号化に応答して、前記フレームの伝送をターミネートするために、一つの送信電力制御ビットのシンボル位置において確認メッセージを送信すること、ここで、前記送信フレームに割り当てられる全ての電力制御グループの伝送の完了の前に、前記確認メッセージを送信する、
を含む方法。
【請求項８】
前記無線通信デバイスはアクセスポイントを含む請求項７の方法。
【請求項９】
前記無線通信デバイスはアクセス端末を含む請求項７の方法。
【請求項１０】
一つの受信電力制御ビットのシンボル位置において、固定された複数のサブセグメントから構成される送信フレームが復号されたことを示す確認メッセージを、アクセスポイントから受信するための手段と、ここで、該サブセグメントの少なくとも一つは、電力制御グループとして定義される、ここで、該確認メッセージは、該送信フレームに割り当てられる全ての電力制御グループの伝送の完了の前に、受信される、
前記確認メッセージに応答して伝送を終了するための手段とを含む無線通信デバイス。
【発明の詳細な説明】
【技術分野】
【０００１】
（優先権の主張）
この出願は、２００８年６月９日付け提出され、「Apparatus and Methods for Increasing Capacity in Wireless Communications」と題された米国仮出願第６１／０６０，１１９号、及び２００８年６月１０日付け提出され、「Apparatus and Methods for Increasing Capacity in Wireless Communications」と題された米国仮出願第６１／０６０，４０８号、及び２００８年６月１３日付け提出され、「Apparatus and Methods for Increasing Capacity in Wireless Communications」と題された米国仮出願第６１／０６１，５４６号、及び２００８年２月２０日付け提出され、「Frame Termination」と題された米国仮出願第６１／０３０，２１５号の優先権を主張する（それらの内容は、参照によってそれら全体が本明細書に組み込まれる）。
【０００２】
（関連する出願）
本出願は、２００８年１０月１６日付け提出され、本願の譲受人に譲渡された「Rate Determination」と題された米国仮出願第１２／２５２，５４４号に関係する（それらの内容は、参照によってそれら全体が本明細書に組み込まれる）。
【０００３】
（技術分野）
本発明は、一般に、デジタル通信に関係し、より詳しくは、送信電力を削減し、無線デジタル通信システムのキャパシティーを増加させるための技術に関係する。
【背景技術】
【０００４】
例えばボイス、パケット・データなどのような様々なタイプの通信を提供するために、無線通信システムが広く配置される。これらのシステムは、符号分割多元接続（ＣＤＭＡ）、時分割多元接続（ＴＤＭＡ）、周波数分割多元接続（ＦＤＭＡ）、又は他の多元接続技術に基づくことがある。例えば、そのようなシステムは、例えば第三世代パートーシップ・プロジェクト２（Third Generation Partnership Project）（３ｇｐｐ２、又は“ｃｄｍａ２０００”）、第三世代パートーシップ（３ｇｐｐ、又は“Ｗ−ＣＤＭＡ”）、又はロングタームエボリューション（“ＬＴＥ”）のような標準に準拠することができる。そのような通信システムのデザインにおいて、キャパシティー、又はシステムが確実にサポートすることができるユーザの数、与えられる利用可能な資源を最大にすることは望ましい。幾つかの要因は、無線通信システムのキャパシティーに影響を与える。その幾つかは下で説明される。
【０００５】
例えば、ボイス通信システムにおいて、ボコーダは、複数の可変符号化レートのうちの一つを使用して、ボイス伝送を符号化するために、しばしば使用される。符号化レートは、例えば、特定のタイム・インターバルの間に検出されるスピーチ・アクティビティーの量に基づいて、選択されることができる。ｃｄｍａ２０００無線通信システムのためのボコーダにおいて、例えば、スピーチ伝送は、フル・レート（ＦＲ）フレーム、ハーフ・レート（ＨＲ）フレーム、１／４レート（ＱＲ）フレーム、又は１／８レート（ＥＲ）フレームを使用して送信されることができる（フル・レート・フレームは最大数のトラフィック・ビットを含み、１／８レート・フレームは最小数のトラフィック・ビットを含む）。１／８レート・フレームは、通常、サイレンス期間の間に送信され、一般に、ボイス通信システムにより達成され得る最低レートの伝送に対応する。
【０００６】
１／８レート・フレームは、ｃｄｍａ２０００システムにおける低減されたレートの伝送を表すが、該１／８レート・フレームは、まだ、０でない個数のトラフィック・ビットを含む。特定のインターバル（例えば、スピーチ・アクティビティーが存在せず且つバックグラウンド・ノイズが一定のままである比較的長い期間）の間、１／８レートのフレームの伝送でさえ、システムにおいて、いたずらに、かなりの（significant）レベルの送信電力を消費するかもしれない。これは、他のユーザにもたらされる干渉のレベルを上げるかもしれない。そして、それによって、望ましくないことにシステム・キャパシティーを減少させる。
【０００７】
ボイス通信システムの伝送レートを、最小レート・フレーム伝送（例えば１／８レート・フレーム伝送など）を提供することができるものより下回って、更に減少させるための技術を提供することは、望ましいであろう。そのような技術に対応するために修正された電力制御スキームを提供することは、更に望ましいであろう。
【０００８】
無線通信システムの他の態様において、二つのユニット間の伝送は、受信信号における誤りを防ぐために、しばしば、ある程度の冗長性を使用する。例えば、ｃｄｍａ２０００無線通信システムにおける基地局（ＢＳ）からモバイル局（ＭＳ）への順方向リンク（ＦＬ）伝送において、例えば分数レートのシンボル符号化及びシンボル繰り返しのようなリダンダンシーが、使用されることがある。ｃｄｍａ２０００システムにおいて、符号化されたシンボルは、電力制御グループ（power control groups）（ＰＣＧ）として知られているサブセグメント（sub-segments）に、フレームを定義するＰＣＧの固定数で、グループ化され、無線で送信される。
【０００９】
ｃｄｍａ２０００において使用されるようなシンボル冗長技術は、誤りの存在する送信信号の正確なリカバーを可能にするかもしれないが、そのような技術は、信号受信状態が良好なときは、全体的なシステム送信電力においてプレミアムを示すことにもなる。そして、それはまた、望ましくないことにシステム・キャパシティーを減少させる可能性がある。
【００１０】
例えば、受信機があるフレームに関連する情報を正確にリカバーしたと判定される場合に、そのフレームの伝送をターミネートし、それによって送信電力を節約し、システム・キャパシティーを増加させる効率的な技術を提供することが更に望まれる。
【図面の簡単な説明】
【００１１】
【図１】図１は、従来技術の無線通信システムを示す。
【図２】図２は、従来技術のボイスに関する信号伝送経路（signal transmission path）を示す。
【図３】図３は、本開示に従ったボイスに関する信号伝送経路の例示的な（exemplary）実施形態を示す。
【図４】図４は、システマティック・ブランキング・モジュールにより適用され得るアルゴリズムの例示的な実施形態を示す。
【図５】図５及び５Ａは、ボコーダ及びシステマティック・ブランキング・モジュールにより処理される例示的なフレーム送信シーケンスを示す。
【図５Ａ】図５及び５Ａは、ボコーダ及びシステマティック・ブランキング・モジュールにより処理される例示的なフレーム送信シーケンスを示す。
【図６】図６は、図３に示されるようなボイス信号伝送経路により生成されるシステマティック・ブランキングされた信号を処理するための受信アルゴリズムの例示的な実施形態を示す。
【図７】図７は、本開示に従ったボイスに関する信号伝送経路の代わりの例示的な実施形態を示す。
【図８】図８は、システマティック・ブランキング・モジュールにより適用され得るアルゴリズムの例示的な実施形態を示す。
【図９】図９及び９Ａは、ボコーダ及びシステマティック・ブランキング・モジュールにより処理される例示的なフレーム送信シーケンスを示す。
【図９Ａ】図９及び９Ａは、ボコーダ及びシステマティック・ブランキング・モジュールにより処理される例示的なフレーム送信シーケンスを示す。
【図１０】図１０は、本開示に従ったシステマティック・ブランキングのための方法の例示的な実施形態を示す。
【図１１】図１１は、本開示に従ったパイロット・ゲーティング・スキーム（pilot gating scheme）の例示的な実施形態を示す。
【図１２】図１２は、本開示に従った順方向リンク（ＦＬ）送信の電力を制御するための低減レート電力制御スキーム（reduced rate power control scheme）の例示的な実施形態を示す。
【図１３】図１３は、本開示に従った逆方向リンク（ＲＬ）連続パイロット送信の電力を制御するための低減レート電力制御スキームの例示的な実施形態を示す。
【図１４】図１４は、本開示に従った逆方向リンク（ＲＬ）ゲート・パイロット送信の電力を制御するための低減レート電力制御スキームの例示的な実施形態を示す。
【図１５】図１５は、本開示に従った方法を示す。
【図１６】図１６及び図１６Ａは、通信システムおいて送信機で情報ビットを処理するための従来技術のフレーム処理スキームを示す。
【図１６Ａ】図１６及び図１６Ａは、通信システムおいて送信機で情報ビットを処理するための従来技術のフレーム処理スキームを示す。
【図１７】図１７は、ｃｄｍａ２０００に関する従来技術の順方向リンク・シグナリング・スキームに関連するタイミング・チャートを示す。
【図１８】図１８は、受信シンボルｙから推定情報ビットｂ’をリカバーするための従来技術の方法を示す。
【図１９】図１９は、ｃｄｍａ２０００標準に従ってオペレートするシステムのための順方向リンク伝送の早期のターミネーション（early termination）のためのスキームの例示的な実施形態を示す。
【図２０】図２０は、本開示に従ったサブセグメント単位の復号化のスキームの例示的な実施形態を示す。
【図２１】図２１は、本開示に従った順方向リンク・シンボル経路（symbol path）の例示的な実施形態に加えて、ｃｄｍａ２０００標準に従った無線構成４（ＲＣ４）のための従来技術の順方向リンク・シンボル経路の実装を示す。
【図２２】図２２は、早期ターミネーション変調器のための逆方向リンク上のＡＣＫメッセージをシグナルするために使用されるシグナリング・スキームの例示的な実施形態を示す。
【図２３】図２３は、ｃｄｍａ２０００標準に従って動作するシステムのための逆方向リンク伝送の早期ターミネーションのためのスキームの例示的な実施形態を示す。
【図２４】図２４は、本開示に従った逆方向リンク・シンボル経路の例示的な実施形態に加えて、従来技術の逆方向リンク・シンボル経路の実装を示す。
【図２５】図２５は、一つの順方向基本チャネル（Ｆ−ＦＣＨ）及び／又は二つまでの順方向補助チャネル（Ｆ−ＳＣＨ１及びＦ−ＳＣＨ２）の早期ターミネーションのための逆方向リンク上のＡＣＫメッセージをシグナルするために使用されるシグナリング・スキームの例示的な実施形態を示す。
【図２６】図２６は、本開示に従った方法の例示的な実施形態を示す。
【詳細な説明】
【００１２】
添付図面に関連して以下で説明される詳細な説明は、本発明の様々な実施形態の説明として意図されており、本発明が実施され得る唯一の実施系地亜を示すことは意図されていない。“例示的な（exemplary）”という用語は、この説明を通して、“例（example）、インスタンス（instance）又はイラストレーション（illustration）として役に立つこと”を意味するために用いられ、また、必ずしも他の実施形態以上に好ましい又は有利であると解釈されなければならないというわけではない。詳細な説明は、本発明の例示的な実施形態の深い理解を与えるために、特定の細部を含む。本発明の例示的な実施形態がこれらの特定の細部なしに実施され得ることは、当業者には明らかであろう。場合によっては、本明細書で提示される例示的な実施形態の新規性を不明りょうにすることを回避するために、周知の構造又はデバイスがブロック図において示される。
【００１３】
この明細書及び特許請求の範囲において、エレメントが“接続される（connected to）”又は“接続される（coupled to）”といわれる場合、それは、直接的に他のエレメントに接続又は接続される（connected or coupled to）ことが可能であり、或いは、間に入るエレメントが存在しても良いことは、理解されるであろう。対照的に、エレメントが“直接的に接続される（directly connected to）”又は“直接的に接続される（directly coupled to）”といわれる場合、間に入るエレメントが存在しない。
【００１４】
通信システムは、単一のキャリア周波数を使用しても良いし、複数のキャリア周波数を使用しても良い。図１を参照して、無線セルラ通信システム１００において、参照番号１０２Ａ〜１０２Ｇはセルを指し示し、参照番号１６０Ａ〜１６０Ｇは基地局を指し示し、参照番号１０６Ａ〜１０６Ｇはアクセス端末（ＡＴ）を指し示す。通信チャネルは、アクセスネットワーク（ＡＮ）１６０からアクセス端末（ＡＴ）１０６への伝送のための順方向リンク（ＦＬ）（ダウンリンクとしても知られている）及びＡＴ１０６からＡＮ１６０への伝送のための逆方向リンク（ＲＬ）（アップリンクとしても知られている）を含む。ＡＴ１０６は、リモートステーション、モバイル局又は加入者設備としても知られている。アクセス端末（ＡＴ）１０６は、モバイルであってもよいし、固定されたものであってもよい。各々のリンクは、異なる数のキャリア周波数を取り入れても良い。さらにまた、アクセス端末１０６は、例えば光ファイバー又は同軸ケーブルを使用して、無線チャネルを通して又は有線チャネルを通して通信する、任意のデータ・デバイスであっても良い。アクセス端末１０６は、更に、ＰＣカード、コンパクト・フラッシュ（登録商標）、外部又は内蔵モデム、又は無線若しくは有線の電話（ただし、これらに制限されない。）を含む幾つかのタイプのいずれであってもよい。
【００１５】
現代の通信システムは、複数のユーザが共通の通信媒体にアクセスするのを可能にするようにデザインされている。例えば、時分割多元接続（ＴＤＭＡ）、周波数分割多元接続（ＦＤＭＡ）、空間分割多元接続、偏波分割多元接続、符号分割多元接続（ＣＤＭＡ）、及び他の類似する多重アクセス技術などのように、多数のマルチアクセス技術が、本技術において知られている。マルチアクセスの概念は、複数のユーザが共通の通信リンクにアクセスすることを可能にするチャネル割り当ての方法論である。チャネル割り当ては、特定の多重アクセス技術に従って様々なフォームをとることができる。例として、ＦＤＭＡシステムにおいて、全体の周波数スペクトルは、幾つかのより小さなサブバンドに分割され、各々のユーザは、通信リンクにアクセスするためにそれ自身のサブバンドを与えられる。あるいは、ＴＤＭＡシステムにおいて、各々のユーザは、周期的に繰り返されるタイム・スロットの間、全体の周波数スペクトルを与えられる。ＣＤＭＡシステムにおいて、各々のユーザは、時間のすべてに対して全体の周波数スペクトルを与えられるが、コードを用いることによりその伝送を識別する。
【００１６】
本開示の特定の例示的な実施形態がｃｄｍａ２０００標準に従ったオペレーションについて以下に説明されることがあるが、当業者は本技術が他のデジタル通信システムに容易に適用されることができることを認識するであろう。例えば、本開示の技術は、Ｗ−ＣＤＭＡ（又は３ｇｐｐ）無線通信標準、及び／又は任意の他の通信標準に基づくシステムに適用されることができる。そのような代わりの例示的な実施形態は、本開示の範囲内であると意図される。
【００１７】
図２は、ボイスに関する従来技術の信号伝送経路２００を示す。図２において、ボイス信号２００ａは、ボコーダ２１０に入力され、ボコーダ２１０は、伝送のためのボイス音声信号を符号化する。ボコーダ２１０によるボイス・フレーム２１０ａ出力は、いつでも、ボイス信号２００ａのスピーチ内容に応じて、複数のレートのうちの一つをとることができる。図２において、複数のレートは、フル・レート（ＦＲ）、ハーフ・レート（ＨＲ）、１／４レート（ＱＲ）、及び１／８レート（ＥＲ）を含む。ボイス・フレーム２１０ａは、物理レイヤ処理モジュール２２０に提供される。そして、物理レイヤ処理モジュール２２０は、システムの物理レイヤ・プロトコルに従って、伝送のためのボイス・フレーム・データを用意する。当業者は、そのようなプロトコルは、例えば、データを、符号化、リピーティング、パンクチャーリング、インターリービング、及び／又は変調することを含むことができることを認識するであろう。物理レイヤ処理モジュール２２０の出力は、伝送のためにＴＸブロック２３０に提供される。ＴＸブロック２３０は、例えば、信号をキャリア周波数にアップコンバートし、アンテナ上での伝送のために該信号を増幅するような、高周波（ＲＦ）オペレーションを実行することができる。
【００１８】
一般に、ボイス信号２００ａを符号化するためにボコーダ２１０により選択されたボイス・フレーム２１０ａのレートは、いつでも、ボイス信号２００ａにおいて検出されるスピーチ・アクティビティーのレベルに依存してもよい。例えば、フル・レート（ＦＲ）は、ボイス信号２００ａがアクティブ・スピーチを含む間のフレームのために選択されることができ、一方、１／８レート（ＥＲ）は、ボイス信号２００ａがサイレンスを含む間のフレームのために選択されることができる。そのようなサイレンスの期間の間に、ＥＲフレームは、サイレンスに関連する“バックグラウンド・ノイズ”を特徴付けているパラメータを含むかもしれない。ＥＲフレームは、ＦＲのフレームに比べて非常に（significantly）少ないビットを含むが、サイレンス期間は、通常の会話の間、かなり頻繁に起こる場合があり、それによって、ＥＲフレームを送信することにもっぱら用いられる全体的な伝送バンド幅を、重大（significant）にさせる。
【００１９】
さらに、受信機に音声信号２００ａを伝達することを要求される伝送バンド幅を減らすことは、望ましいであろう。
【００２０】
図３は、本開示に従ったボイスのための信号伝送経路３００の例示的な実施形態を示す。図３において、音声信号２００ａは、ボコーダ３１０に入力され、ボコーダ３１０は、伝送のためのボイス・フレーム３１０ａを生成する。ボイス・フレーム３１０ａは、フル・レート（ＦＲ）、ハーフ・レート（ＨＲ）、１／４レート（ＱＲ）、１／８レート（ＥＲ）、及び、クリティカル１／８レート（ＥＲ−Ｃ）を含む複数のレートのうちの一つをとることができる。例示的な実施形態において、“クリティカル”１／８レート・フレームとしての１／８レート・フレームの指定は、例えばサイレンス・インターバルにおいて検出されたバックグラウンド・ノイズの変化に対応するパラメータを含むそれら１／８レート・フレームについて、ボコーダ３１０によりなされても良い。
【００２１】
ボイス・フレーム３１０ａは、システマティック・ブランキング・モジュール３１５に与えられ、システマティック・ブランキング・モジュール３１５は、順々に、処理されたボイス・フレーム３１５ａを、物理レイヤ処理モジュール２２０に与える。以下に更に説明されるように、システマティック・ブランキング・モジュール３１５は、ボコーダ出力を選択的に“ブランキング”することによって、すなわち、ボコーダ出力３１０ａの特定のフレームを、１／８レート・フレームのそれより少ないデータレートをもつヌル・レート（ＮＲ）フレームで置き換えることによって、ボコーダ出力３１０ａの伝送ビット・レートを最小にするように構成される。例示的な実施形態において、ＮＲフレームは、ゼロ・トラフィック・コンテンツ（すなわち、０ビット／秒（ｂｐｓ）のトラフィック・ビット・レート）をもつことができる。
【００２２】
図４は、システマティック・ブランキング・モジュール３１５により適用され得るアルゴリズムの例示的な実施形態４００を示す。
【００２３】
ステップ４１０において、システマティック・ブランキング・モジュール３１５は、ボコーダ３１０からフレーム３１０ａを受信する。
【００２４】
ステップ４２０において、フレーム３１０ａは、それがＦＲ、ＨＲ、ＱＲ、又はＥＲ−Ｃであるかどうか判定するために評価される。上記のレートは、伝送に関してクリティカルであると考えられる。フレーム３１０ａが、これらのクリティカルなレートのうちの一つを含む場合、フレーム３１０ａは、伝送のために物理レイヤ処理モジュール２２０に直接与えられる。そうでない場合、フレームは、クリティカルでないレートを含むと考えられ、アルゴリズムは、ステップ４３０へ進む。
【００２５】
“クリティカル”としてのＦＲ、ＨＲ、ＱＲ及びＥＲ−Ｃの例示的な指定は、説明に役立つ目的だけのためであり、本開示の範囲を、上記のフレーム・タイプがクリティカルとして指定されるそれら実施形態のみに制限することが意図されたものではない点に留意されるべきである。代わりの例示的な実施形態において、他のフレーム・タイプのセットが、システマティック・ブランキング・モジュールによる伝送についてクリティカルとして示されることができる。そのような代わりの例示的な実施形態は、本開示の範囲内であると意図される。
【００２６】
ステップ４３０において、アルゴリズムは、保証された伝送がなされるかどうか判定するために、送信されるべき現在のフレームのフレーム番号を評価する。例示的な実施形態において、保証された伝送は、０でないレートの伝送を含んでも良い。例示的な実施形態において、フレーム番号は、各々の連続するフレームについて連続的に繰り返されて各々のフレームに割り当てられる番号であっても良い。示される例示的な実施形態において、現在のフレーム番号FrameNumberが、現在のフレーム・オフセットFrameOffsetに加えられ、そして、その結果（FrameNumber＋FrameOffset）は、非ブランキング・インターバル・パラメータＮによるモジュロ・オペレーション（mod）に適用される。モジュロ・オペレーションの結果が０であるならば、アルゴリズムはステップ４４０へ進む。さもなければ、アルゴリズムはステップ４５０へ進む。
【００２７】
どのフレームが伝送のために保証されるかを特定するために、ステップ４３０で示される特定の評価以外の技術が容易に適用され得ることを、当業者は認識するであろう。そのような代わりの技術は、例えば、現在のフレーム番号又は現在のフレーム・オフセット以外のパラメータ、又は、表されたモジュロ・オペレーション以外のオペレーションを、利用することができる。
【００２８】
ステップ４５０において、システマティック・ブランキング・モジュール３１５は、伝送のために、ヌル・レート（ＮＲ）フレームを物理レイヤ処理モジュール２２０に与える。例示的な実施形態において、ヌル・レートのフレームは、トラフィック・ビットを含まず、それゆえ、最小のシグナリング・バンド幅を消費する。ヌル・レートのフレームの伝送の後、アルゴリズムは、ボコーダ３１０から次のボイス・フレーム３１０ａを受けるために、ステップ４１０に戻る。
【００２９】
上記の説明に基づいて、非ブランキング・インターバルＮは、すべてのクリティカルでないフレームの伝送に対応するＮ＝１、及び、クリティカルでないフレームのより頻繁でない伝送に対応するより大きな値のＮをもって、どのくらいの頻度で、クリティカルでないフレームが送信されるかを制御することを、当業者は認識するであろう。例示的な実施形態において、Ｎは、１、４（デフォルトによる）、８、又は他の予約された値（例えば、外部シグナリング（図示せず）により）をとることができる。
【００３０】
図５及び５Ａは、ボコーダ３１０及びシステマティック・ブランキング・モジュール３１５により処理される、例示的なフレーム送信シーケンス３１０ａ＊及び３１５ａ＊をそれぞれ示す。
【００３１】
図５において、フレーム３１０ａ＊のシーケンスは、“ＥＲ”とラベル付けられた１／８レートのフレーム及び“ＥＲ−Ｃ”とラベル付けされた１／８レート・クリティカルのフレームを含む。そのようなフレームのシーケンスは、ボイス会話（例えば、会話の一方からのサイレンスの期間）の間、起こることがある。
【００３２】
図５Ａにおいて、フレーム送信シーケンス３１５ａ＊は、４００のような選択的なブランキング・アルゴリズムを送信シーケンス３１０ａ＊に適用する結果に対応する。ここで、非ブランキング・インターバルＮ＝４が使用される。図５Ａにおいて、フレーム３１５ａ＊のシーケンスは、１／８レート・フレームＥＲ及びヌル・レート・フレームＮＲを含む。FrameNum ０は、ボコーダ３１０から受信されたままで、すなわち、ＥＲフレームのままで、直接送信される。非ブランキング・インターバルＮ＝４に従って、FrameNum １と３は、ＮＲフレームとして送信される。FrameNum ２（それはボコーダによりクリティカル１／８レート・フレームＥＲ−Ｃに指定される）は、ＥＲフレームとして送信される。図示されるように、FrameNum ４〜１３は、同様に処理される。図５Ａにおいて、(FrameNum + FrameOffset mod N) = 0に対応するフレームがマークされていることに留意されるべきである。
【００３３】
図６は、例えば図３に示される３１５のようなシステマティック・ブランキング・モジュールを使用するボイス伝送信号経路により生成される信号を処理するための、受信アルゴリズム６００の例示的な実施形態を示す。
【００３４】
図６において、ステップ６１０で、送信された信号が、受信（ＲＸ）され、例えば図３に示されるようなＴＸオペレーション２３０に対して相補的なオペレーションを使用して処理される。そのようなＲＸオペレーションは、例えば、ＲＦ増幅、周波数ダウンコンバージョン、フィルタリングなどを含んでも良い。
【００３５】
ステップ６２０において、物理レイヤ受信（ＲＸ）処理が、例えば図３に示される物理レイヤＴＸオペレーション２２０に対して相補的なオペレーションを使用して実行される。
【００３６】
そのような物理レイヤ受信処理は、例えば、復号化、デインターリービング、シンボル合成（symbol combining）などを含んでも良い。
【００３７】
ステップ６３０において、アルゴリズム６００は、現在の受信されたフレームがＮＲフレームであるかどうか評価する。そうであるならば、ＮＲフレームについて処理されるべきトラフィック・データはないので、アルゴリズムは、次のフレームの受信を開始するために、ステップ６１０に戻る。そうでないならば、アルゴリズムは、ステップ６４０へ進む。
【００３８】
当業者は、様々な技術が、現在の受信されたフレームがＮＲフレームであるかどうか評価するために使用されることができることを認識するであろう。例示的な実施形態において、エネルギー評価アルゴリズムは、受信されたフレームのトラフィック部分におけるエネルギーを検出するために使用されてもよい。例えば、受信されたフレームのトラフィック部分に対応するエネルギーが、測定されても良く、また、適当な基準化されたエネルギー閾値と比較されてもよい。例示的な実施形態では、ＮＲフレームのトラフィック部分において送信機により送信されるべきことを予期される信号はないので、測定されたエネルギーが閾値より少ないならば、ＮＲフレームが宣言されても良い。そのようなエネルギー評価アルゴリズムはまた、ＮＲフレームの検出を更に支援するために、送信機により用いられるシステマティック・ブランキング・アルゴリズムの知識及び非ブランキング・インターバルＮを利用してもよい。
【００３９】
可能なＮＲ検出アルゴリズムの上記の説明は、説明に役立つ目的のためにだけ与えられたものであり、本開示の範囲を何らかの特定のＮＲ検出アルゴリズムに制限することが意図されたものではない点に留意されるべきである。
【００４０】
ステップ６４０において、受信機において外部ループ電力制御（outer loop power control）（ＯＬＰＣ）アルゴリズムをアップデートするために、受信された非ＮＲフレームのパラメータが用いられてもよい。例示的な実施形態において、受信された非ＮＲフレームのパラメータは、例えば、フレーム品質インジケータ（frame quality indicator）（ＦＱＩ）（例えば受信されたフレームのためのＣＲＣなど）が、品質チェックに合格したかどうかの結果を含んでもよい。ＯＬＰＣアルゴリズムは、例えば受信されたフレームのための適当な信号対干渉比（signal-to-interference ratio）（ＳＩＲ）のセットポイントを計算するために、使用されることができ、それは、送信されたボイス・フレームに関する送信機と受信機との間の電力制御フィードバック・メカニズムを導くために用いられることができることを、当業者は認識するであろう。ＮＲフレームから導かれる品質チェック結果を除外することによって、ＯＬＰＣアルゴリズムは、例えばトラフィック部分について有効な（significant）送信エネルギーをもつフレームだけを使用して、正確にアップデートされることができる。
【００４１】
ステップ６５０において、ボイス・フレームは、ボイス出力６５０ａに復号化されることができる。そして、アルゴリズム６００は、次のフレームを受信するためにステップ６１０に戻る。
【００４２】
図７は、本開示によってボイスのために信号伝送経路７００の代わりの例示的な実施形態を示す。図７において、ボイス信号２００ａは、ボコーダ７１０に入力され、ボコーダ７１０は、伝送のためのボイス・フレーム７１０ａを生成する。ボイス・フレーム７１０ａは、フル・レート（ＦＲ）、ハーフ・レート（ＨＲ）、１／４レート（ＱＲ）、１／８レート（ＥＲ）、及びボコーダ・ヌル・レート（ＶＮＲ）を含む複数のレートのうちの一つをとることができる。ＶＮＲフレーム（ゼロ・レートのボコーダ・フレーム（zero-rate vocoder frame）又は空のボコーダ・フレーム（empty vocoder frame）としても知られている）は、ボコーダにより送信されるべき新しい情報がない場合に、ボコーダ７１０により生成される。例示的な実施形態において、ＶＮＲフレームは、単に、データを含まないブランク・フレームであってもよい。
【００４３】
ボイス・フレーム７１０ａは、システマティック・ブランキング・モジュール７１５に与えられ、システマティック・ブランキング・モジュール７１５は、順々に、処理されたボイス・フレーム７１５ａを、物理レイヤ処理モジュール２２０に与える。以下に更に説明されるように、システマティック・ブランキング・モジュール７１５は、ボコーダ出力７１０ａの特定のフレームを、データ内容をほとんどもたない若しくはデータ内容をもたないヌル・レート（ＮＲ）又はヌル・レート・インジケータ（null-rate indicator）（ＮＲＩＤ）フレームで選択的に置き換えることによって、ボコーダ出力７１０ａの伝送ビットレートを最小にするように構成される。
【００４４】
図８は、システマティック・ブランキング・モジュール７１５により適用され得るアルゴリズムの例示的な実施形態８００を示す。
【００４５】
ステップ８１０において、システマティック・ブランキング・モジュール７１５は、ボコーダ７１０からフレーム７１０ａを受信する。
【００４６】
ステップ８２０で、フレーム７１０ａは、それがＦＲ、ＨＲ、ＱＲ、又はＥＲであるかどうか判定するために評価される。そのようなレートは、伝送に関してクリティカルであると考えられる。フレーム７１０ａがこれらのクリティカルなレートのうちの一つを含む場合、フレーム７１０ａは、ステップ８４０において、伝送のために物理レイヤ処理モジュール２２０に与えられる。そうでない場合、フレームは、クリティカルでないレートを含むと考えられ、アルゴリズムはステップ８３０へ進む。
【００４７】
ステップ８３０において、アルゴリズムは非ゼロの伝送がなされなければならないかどうか判定するために、伝送の現在のフレーム番号を評価する。示される例示的な実施形態において、現在のフレーム番号FrameNumberが現在のフレーム・オフセットFrameOffsetに加えられ、その結果（FrameNumber + FrameOffset）が、非ブランキング・インターバル・パラメータＮによるモジュロ・オペレーション（mod）に適用される。モジュロ・オペレーションの結果が０であるならば、アルゴリズムはステップ８３５へ進む。さもなければ、アルゴリズムはステップ８５０へ進む。
【００４８】
ステップ８３５において、ヌル・レート・インジケータ（ＮＲＩＤ）フレームが送信されても良い。そのようなフレームは、新しい情報を含まないものとして受信機に認識できる予め定められたフレーム又はインジケータ（ヌル・トラフィック・データを含むフレームとも呼ばれる）に対応しても良い。ヌル・トラフィック・データは、受信ボコーダが使用しないビット・パターンを含んでも良い。それゆえ、ヌル・トラフィック・データは、受信ボコーダにより放棄されるであろう。一つの態様において、例えば、予め定められたヌル・フレーム又はインジケータは、ヌル・トラフィック・データをもつ既知の１．８ｋｂｐｓのフレームであってもよい。他の態様において、例えば、予め定められたフレーム又はインジケータは、最後に送信された１．８ｋｂｐｓのフレームを繰り返しても良い（それによって、ヌル・トラフィック・データを示す）。
【００４９】
ステップ８５０において、システマティック・ブランキング・モジュール７１５は、伝送のためにヌル・レート（ＮＲ）フレームを物理レイヤ処理モジュール２２０に与える。例示的な実施形態において、ヌル・レート・フレームは、トラフィック・ビットを含まず、それゆえ、最小のシグナリング・バンド幅を消費する。ヌル・レート・フレームの伝送の後、アルゴリズムは、ボコーダ７１０から次のボイス・フレーム７１０ａを受信するために、ステップ８１０に戻る。
【００５０】
図９及び９Ａは、ボコーダ７１０及びシステマティック・ブランキング・モジュール７１５により処理されるような、例示的なフレーム送信シーケンス７１０ａ＊及び７１５ａ＊をそれぞれ示す。
【００５１】
図９において、フレーム７１０ａ＊のシーケンスは、“ＥＲ”とラベル付けされた１／８レートのフレーム及びボコーダ７１０で生成される“ＶＮＲ”とラベル付けされたボコーダ・ヌル・レート・フレームを含む。
【００５２】
図９Ａにおいて、フレーム送信シーケンス７１５ａ＊は、８００のような選択的なブランキング・アルゴリズムを送信シーケンス７１０ａ＊に適用する結果に対応する。ここで、非ブランキング・インターバルＮ＝４が使用される。図９Ａにおいて、フレーム７１５ａ＊のシーケンスは、１／８レート・フレームＥＲ及びヌル・レート・フレームＮＲを含む。FrameNum ０は、ボコーダ７１０から受信されたままで、すなわち、ＥＲフレームのままで、直接送信される。非ブランキング・インターバルＮ＝４に従って、FrameNum １と３は、ＮＲフレームとして送信され、FrameNum ４は、ＮＲＩＤフレームとして送信される。アルゴリズム８００に関して説明されたように、ＮＲＩＤフレームは、周期的な０でないレートのフレームの伝送を保証するために送信されることに留意されるべきである。FrameNum ５〜１３の処理は、前の説明を考慮して当業者により容易に理解されることができる。
【００５３】
図１０は、本開示に従ったシステマティック・ブランキングのための方法１０００の例示的な実施形態を示す。方法１０００は、説明に役立つ目的のためにだけ示され、本開示の範囲を示される何らかの特定の方法に制限することが意図されたものではない点に留意されるべきである。
【００５４】
図１０において、ステップ１０１０で、新しいトラフィック情報（該新しいトラフィック情報は、無線通信リンク上での伝送のためのフレームに含まれる）の存在に関して、判定がなされることができる。
【００５５】
ステップ１０２０において、決定ブロックは、ステップ１０１０における判定の結果を判定する。
【００５６】
ステップ１０３０において、新しいトラフィック情報が存在するならば、新しいトラフィック情報を表すデータを含むトラフィック部分が、フレームに加えられることができる。
【００５７】
ステップ１０４０において、新しいトラフィック情報が存在しないならば、それぞれのフレームが伝送のために保証されるフレームに対応しない限り、新しいフレームは送信されない。この場合、ヌル・データレートとして受信ボコーダにより判別可能なヌル・トラフィック・データを含む伝送のために保証されるフレームを生成する。
【００５８】
図１１は、本開示に従ったヌル・レート・フレーム伝送を識別するためのパイロット・ゲーティング・スキームの例示的な実施形態を示す。パイロット・ゲーティング・スキームは、説明に役立つ目的のためにだけ与えられ、ヌル・レート・フレーム伝送にはゲーテッド・パイロット伝送（gated pilot transmission）が必然的に伴われるシステムに、本開示の範囲を制限することが意図されたものではない点に留意されるべきである。
【００５９】
図１１において、ＴＸ伝送のトラフィック部分１１１０は、パイロット部１１２０に沿って示される。パイロット部１１２０は、非ヌル・レート・フレームの伝送の間とは異なる、ヌル・レート・フレームの伝送の間のパターンをもつように見られる。例えば、図１１で示すように、ヌル・フレームのためのパイロット・ゲーティング・パターンは、２つのサブセグメント又はＰＣＧに対応しても良く（ここで、パイロットがターンオンされる）（図１１中の“Ｐ”により示される）、２つのサブセグメント又はＰＣＧと交替する（ここで、パイロットがターンオフされる）。ヌル・フレーム伝送の間の異なるパイロット・ゲーティング・パターンの使用は、現在受信されているフレームがヌル・フレームであるかどうかについての判定において、受信機を更に支援することができる。これは、例えば、図６中のヌル・レート判定ステップ６３０の間、使用されてもよい。
【００６０】
本開示を考慮して、ヌル・フレームの存在をシグナルするために、代わりのパイロット・ゲーティング・パターンが容易に導き得ることを、当業者は認識するであろう。例えば、パイロット・ゲーティング・パターンは、他のサブセグメント又はＰＣＧごとの又は他の任意のパターンを使用したパイロット伝送を含んでもよい。そのような代わりの技術は、本開示の範囲内であると意図される。
【００６１】
本開示の他の態様において、システムの信号伝送を更に減らすために、システムの順方向リンク及び／又は逆方向リンクの電力制御レートが、減らされてもよい。例示的な実施形態において、例えば、逆方向リンクのパイロット部が連続的である（すなわち、ゲートされない）フレームにおいてさえ、ゲーテッド逆方向リンク・パイロット伝送に対応するＰＣＧの間だけ、順方向リンク電力制御コマンドを送信することのみによって、モバイル局は、基地局に送信される順方向リンク電力制御コマンドの数を減らしてもよい。他の例示的な実施形態において、基地局は、低減されたレートで逆方向リンク電力制御コマンドを送信しても良い（例えば、あらゆる他の電力制御グループにおいて）。さらに、これらの逆方向リンク電力制御コマンドを受信しているモバイル局は、各自非ヌル・フレームの伝送を制御するために適用してもよい。ヌル・フレームについては、基地局からの受信された電力制御コマンドの低減された数（例えば、すべてより少ない）は、先に述べたように、モバイル局のヌル・フレームの伝送を制御するために利用されてもよい（例えば、逆方向リンク・パイロット部がゲートされた場合に）。これらの例示的な電力制御技術が、図１２〜１４を参照して更に説明される。
【００６２】
図１２は、本開示に従った順方向リンク（ＦＬ）伝送の電力を制御するための、低減レート電力制御スキームの例示的な実施形態１２００を示す。
【００６３】
図１２において、基地局の送信（ＢＳ ＴＸ）１２１０が、モバイル局の送信（ＭＳ ＴＸ）１２２０とともに示される。モバイル局により送信される順方向リンク（ＦＬ）電力制御（ＰＣ）コマンドを含むＰＣＧは、１２２０においてハッチングされたＰＣＧとして示される。上右向きの矢印は、各々のハッチングされたＰＣＧから始まり、受信されたＦＬ ＰＣコマンドが適用される、基地局により送信される順方向リンクＰＣＧを指し示す。例えば、ＲＬ ＰＣＧ ＃３においてモバイル局により送信されるＦＬ ＰＣコマンドは、ＦＬ ＰＣＧ ＃４を送信する際に基地局により適用される、などである。
【００６４】
図１２において、図１１に示されるゲーテッド・パイロット・スキーム１１００に従って、１２２０にけるハッチングされたＰＣＧは、ＲＬ ＴＸパイロットがターンオンされるＲＬ ＰＣＧに対応することに留意されるべきである。同時に、１２２０で示すように、モバイル局は、ハッチングされたＰＣＧに対応するＲＬ ＰＣＧにおいて、ＦＬ ＰＣコマンドを送信するのみである。モバイル局は、ハッチングされていないＲＬ ＰＣＧにおいて、ＦＬ ＰＣコマンドを送信しない。それゆえ、ゲーテッド・パイロット・パターンが特定のフレームのために使用されるか否かにかかわらず、ＦＬ ＰＣコマンドは、ゲーテッド・パイロット・スキームの間に同様に送信されるそれらのＲＬ ＰＣＧにおいてのみ送信される。これは、ＦＬ ＰＣ処理の複雑さを減らすことができ、一方、全体的なＦＬ ＰＣレートもまた減らすことを、当業者は認識するであろう。
【００６５】
図１３は、本開示に従った逆方向リンク（ＲＬ）連続パイロット伝送の電力を制御するための、低減レート電力制御スキームの例示的な実施形態１３００を示す。
【００６６】
図１３において、基地局により送信される順方向リンク（ＲＬ）電力制御（ＰＣ）コマンドを含むＰＣＧは、１３１０においてハッチングされたＰＣＧとして示される。下右向きの矢印は、各々のハッチングされたＰＣＧから始まり、対応する受信されたＲＬ ＰＣコマンドを適用する、モバイル局により送信される逆方向リンクＰＣＧを指し示す。例えば、ＦＬ ＰＣＧ ＃３において基地局により送信されるＲＬ ＰＣコマンドは、ＲＬ ＰＣＧ ＃４を送信する際にモバイル局により適用される、などである。
【００６７】
図１３において、１３１０で示すように、基地局は、ハッチングされたＰＣＧに対応するＦＬ ＰＣＧにおいて、ＲＬ ＰＣコマンドを送信するのみである。基地局は、ハッチングされていないＰＣＧにおいてＲＬ ＰＣコマンドを送信しない。
【００６８】
図１４は、本開示に従った逆方向リンク（ＲＬ）ゲーテッド・パイロット伝送の電力を制御するための、低減レート電力制御スキームの例示的な実施形態１４００を示す。
【００６９】
図１４において、基地局により送信される順方向リンク（ＲＬ）電力制御（ＰＣ）コマンドを含むＰＣＧは、１４１０におけるハッチングされたＰＣＧとして、再度、示される。実線の下右向き矢印は、ハッチングされたＰＣＧから始まり、対応する受信されたＲＬ ＰＣコマンドを適用する、モバイル局により送信される逆方向リンクＰＣＧを指し示す。他方、ハッチングされたＰＣＧから始まっている破線の矢印は、指し示された対応するＲＬ ＰＣＧにＭＳにより適用されない、基地局により送信されるＲＬ ＰＣコマンドを示す。基地局は、ハッチングされたＰＣＧに対応するＦＬ ＰＣＧにおいて、ＲＬ ＰＣコマンドを送信するのみである。基地局は、ハッチングされていないＰＣＧにおいて、ＲＬ ＰＣコマンドを送信しない。
【００７０】
例えば、ＦＬ ＰＣＧ ＃１において基地局により送信されるＲＬ ＰＣコマンドは、ＲＬ ＰＣＧ ＃３を送信する際に、モバイル局により適用される、などである。他方、ＦＬ ＰＣＧ ＃２において基地局により送信されるＲＬ ＰＣコマンドは、ＲＬ ＰＣＧ ＃４を送信する際に、モバイル局により適用されない。その代わりに、例示的な実施形態において、前のＰＣＧ（例えば、説明される例におけるＲＬ ＰＣＧ ＃３）のために使用されるように、モバイル局は、同一の電力レベルを維持することができる。本開示の態様において、これは、モバイル局によるＲＬ ＰＣコマンドの処理を単純化するために、なされても良い。
【００７１】
図１５は、本開示に従った方法１５００を示す。方法１５００は、説明に役立つ目的のためにだけ示され、本開示の範囲を制限することが意図されたものではない点に留意されるべきである。
【００７２】
ステップ１５１０において、現在のフレームが受信される。該フレームは、複数のサブセグメントにフォーマットされている。
【００７３】
ステップ１５２０において、受信されたフレームは、物理レイヤ・プロトコルに従って処理される。
【００７４】
ステップ１５３０において、第１のゲーテッド・パイロット・パターンに従って、伝送用に指定されたサブセグメントにおいて受信される電力制御コマンドが、受信される。
【００７５】
ステップ１５４０において、指定されたサブセグメントに続くＴＸサブセグメントの送信電力は、受信された電力制御コマンドに従って、調節される。該ＴＸサブセグメントは、第２のゲート・パイロット・パターンに従って、送信される。
【００７６】
本開示の他の態様に従って、電力を節約し、キャパシティーを増加させるために、無線通信システムにおいて順方向及び／又は逆方向リンク伝送の早期ターミネーションのための技術が提供される。
【００７７】
図１６は、通信システムにおける送信機において処理情報ビット１６００ｂのための従来技術のフレーム処理スキームを示す。特定の例示的な実施形態において、示されるフレーム処理スキームは、無線通信システムの順方向リンク又は逆方向リンク伝送において利用されることができる。図１６Ａは、図１６中に示されるオペレーションにより処理されるデータのステータスを示す。
【００７８】
フレーム処理スキームは、説明に役立つ目的のためにだけ示され、本開示の範囲を示される何らかの特定の処理スキームに制限することが意図されたものではない点に留意されるべきである。本開示の代わりの例示的な実施形態は、代わりのフレーム処理スキーム（それは、例えば、図１６に示されるスキームのステップをリオーダーしても良く、及び／又は、示されるスキームにステップを加え又はそれらからステップ削除してもよい）を採用してもよい。そのような代わりの例示的な実施形態は、本開示の範囲内であると意図される。
【００７９】
図１６において、情報ソースは、選択されたレートＲで、情報ビット１６００ｂを生成する。フレームごとに生成される情報ビット１６００ｂの数は、選択されたレートＲに依存しても良い。例えば、ｃｄｍａ２０００システムにおいて、２０ミリ秒のフレームにつき１７２の情報ビット（“フル・レート”）、１フレームにつき８０ビット（“ハーフ・レート”）、１フレームにつき４０ビット（“１／４レート”）、又は、１フレームにつき１６ビット（“１／８レート”）があっても良い。フレームのための情報ビット１６００ｂは、図１６Ａにおいて、変数ｂによりひとまとめにして示される。
【００８０】
ステップ１６００において、フレーム品質インジケータ（ＦＱＩ）が、生成され、フレームのための情報ビット１６００ｂに追加されても良い。例えば、ＦＱＩは、当業者に知られている巡回冗長検査（ＣＲＣ）であっても良い。図１６Ａ中に同様に示されるように、信号１６００ａは、情報ビット１６００ｂとＦＱＩとの組み合せを表す。
【００８１】
ステップ１６１０で、エンコーダ・テイル・ビットが、信号１６００ａに加えられても良い。例えば、エンコーダ・テイル・ビットは、畳み込み符号器で使用するために、固定数の０値のテイル・ビットを表しても良い。図１６Ａ中に同様に示されるように、信号１６１０ａは、信号１６００ａのエンコーダ・テイル・ビットとの組み合せを表す。
【００８２】
ステップ１６２０において、信号１６１０ａは、符号化され、繰り返される（又は、パンクチャーされる）。前記のように、符号化は、畳み込み符号化又はターボ符号化を含んでも良く、繰り返しは、各々のシンボルに関連する送信エネルギーを更に増加（又は、パンクチャーリングの場合には、減少）させるのに役立っても良い。符号化は、当業者に知られている他の技術（例えば、ブロック符号化又は他のタイプの符号化）を使用しても良く、本開示において明確に説明される符号化に制限される必要がない点に留意されるべきである。図１６Ａに同様に示されるように、信号１６２０ａは、信号１６１０ａの符号化され及び繰り返された（又は、パンクチャーされた）バージョンを表す。
【００８３】
ステップ１６３０において、信号１６２０ａは、例えば、選択された信号ディメンションに沿って、符号化シンボルのダイバーシティーを改善するために、インターリーブされる。例示的な実装において、シンボルは、時間とともにインターリーブされてもよい。図１６Ａ中に同様に示されるように、信号１６３０ａは、信号１６２０ａのインターリーブされたバージョンを表す。
【００８４】
ステップ１６４０において、図１６Ａ中に同様に示されるように、信号１６３０ａのインターリーブされたシンボルは、あらかじめ定義されたフレーム・フォーマットにマッピングされる。フレーム・フォーマットは、複数のサブセグメントから構成されるフレームを指定しても良い。例示的な実施形態において、サブセグメントは、所与のディメンション（例えば、時間、周波数、コード、又は他の他のディメンション）に沿って連続するフレームの任意の部分であっても良い。フレームは、固定された複数のそのようなサブセグメントから構成されても良く、各々のサブセグメントは、フレームに割り当てられるシンボルの総数の一部を含む。例えば、Ｗ−ＣＤＭＡ標準に従う例示的な実施形態において、サブセグメントは、スロットと定義されることができる。ｃｄｍａ２０００標準に従う例示的な実施形態において、サブセグメントは、電力制御グループ（ＰＣＧ）と定義されることができる。
【００８５】
特定の例示的な実施形態において、インターリーブされたシンボルは、信号伝送のために使用される、時間、周波数、コード、又は任意の他のディメンションにおいてマッピングされても良い。さらに、例えば、フレーム・フォーマットはまた、信号１６３０ａのインターリーブされたシンボルとともに、制御シンボル（図示せず）の包含を指定してもよい。そのような制御シンボルは、例えば、電力制御シンボル、フレーム・フォーマット情報シンボルなどを含んでも良い。図１６Ａ中に同様に示されるように、信号１６４０ａは、シンボル対フレーム・マッピングのステップ１６４０の出力を表す。
【００８６】
ステップ１６５０において、信号１６４０ａは、例えば、１又は複数のキャリア・ウェイブの上へ変調する。特定の例示的な実施形態において、変調は、例えば、ＱＡＭ（直交振幅変調）、ＱＰＳＫ（４位相偏移変調）などを使用しても良い。図１６Ａ中に同様に示されるように、信号１６５０ａは、信号１６４０ａの変調されたバージョンを表す。信号１６５０ａは、図１６における変数ｘにより更に示される。
【００８７】
ステップ１６６０において、変調された信号１６５０ａは、更に処理され、無線で送信され、そして、受信機により受信される。ステップ１６６０は、受信されたシンボル１７００ａを生成し、図１６Ａにおける変数ｙにより更に示される。無線上での送信及び受信のための信号１６５０ａを処理するための技術は良く知られていることを当業者が認識するであろうことは留意されるべきであり、本明細書では更に開示されない。以下に説明されるように、ｙに含まれるシンボルが更に処理されても良い。
【００８８】
図１７は、ｃｄｍａ２０００のための従来技術の順方向リンク・シグナリング・スキームに関連するタイミング・チャートを示す。
【００８９】
図１７において、基地局（ＢＳ）は、１７００において、順方向基本チャネル（Ｆ−ＦＣＨ ＴＸ）上で、一連のフレームを、モバイル局（ＭＳ）に送信する。示される例示的な実施形態において、サブセグメントは、電力制御グループ（ＰＣＧ）に対応し、そして、それらのうちの１６個（０〜１５まで番号付けされる）は、各々のフレームを構成する。最初のフレーム（ＴＸフレーム＃０）に対応するすべての１６個のＰＣＧを送信すると、ＢＳは、次のフレーム（ＴＸフレーム＃１）を送信し始める。例示的な実施形態において、送信されるデータは、図１６及び１６Ａに関して本明細書で前述のように処理されてもよい。
【００９０】
ＭＳ側において、ＭＳは、送信されたＰＣＧを、１７１０で受信する。ＴＸフレーム＃０に対応するＲＸフレーム＃０の最後のＰＣＧ（すなわち、ＰＣＧ ＃１５）を受信すると、ＭＳは、受信されたすべてのＰＣＧを用いて、ＲＸフレーム＃０を復号化し始める。復号化された情報は、復号化時間ＴＤの後で、利用できる。例示的な実施形態において、図１８に関して以下に説明されるように、復号化が実行されてもよい。ＭＳがＴＸフレーム＃０を復号化する間、ＴＸフレーム＃１のＰＣＧが同時に受信される点に留意されるべきである。
【００９１】
図１８は、受信されたシンボルｙからの推定された情報ビットｂ’をリカバーするための従来技術の方法１８００を示す。
【００９２】
ステップ１８０５において、フレーム全体について、シンボルｙ又は１７００ａが受信される。
【００９３】
ステップ１８１０において、シンボルｙ又は１７００ａは、シンボルｙ’（信号１８１０ａとしても示される）を生成するために、復調され、解析され、そして、デインターリーブされる。例えば図１６に示されるように、ステップ１８１０で実行されるオペレーションは、送信機で実行されるオペレーションの逆に対応することができることを当業者は認識するであろう。
【００９４】
ステップ１８２０において、シンボルｙ’は、復号化され、結合され、レートＲの知識を与えられる。実装において、レートＲは、幾つのビットが受信フレームに存在するかを示しても良く、また、例えば受信シンボル・シーケンスにおけるどの時点で復号化をターミネートし及び／又は復号化されたシーケンスからテイル・ビットをリムーブするかを判定するために復号器により使用されても良い。ステップ１８２０において、例えば図１６におけるステップ１６１０で追加されるような復号化シーケンスのテイル・ビットが、リムーブされても良い。ステップ１８２０の結果は、出力信号１８２０ａである。
【００９５】
ステップ１８３０において、例えば図１６におけるステップ１６００で追加されるようなＦＱＩが、チェックされ、同様に、情報ビットからリムーブされる。実装において、ＦＱＩチェックの結果は、成功又は失敗のいずれかとして復号化を識別しても良い。ステップ１８３０は、ＦＱＩの結果とともに、リカバーされた情報ビット（ｂ’として示される）を生成する。それは、成功又は失敗のいずれかを示すことができる。
【００９６】
ステップ１８４０において、方法は、次のフレームへ進み、次のフレームのために上で説明されたステップを繰り返しても良い。
【００９７】
本開示に従って、以下に説明される早期のフレーム復号化及びターミネーション技術（early frame decoding and termination techniques）は、全体的な通信システム１００がより効率的にオペレートして、送信電力を節約するのを可能にし、それによってセルラ・キャパシティーを増加させても良い。
【００９８】
図１９は、ｃｄｍａ２０００標準に従ってオペレートしているシステムのための順方向リンク伝送の早期ターミネーションのためのスキームの例示的な実施形態を示す。例示的な実施形態は、説明に役立つ目的のためにだけ示され、本開示の範囲をｃｄｍａ２０００に制限することが意図されたものではない点に留意されるべきである。本明細書で指し示される特定のＰＣＧ及びフレーム番号は、説明に役立つ目的だけのためであり、本開示の範囲を制限することが意図されたものではないことを、当業者はまた認識するであろう。
【００９９】
図１９において、基地局（ＢＳ）は、１９００においてフレームのシーケンスを、モバイル局（ＭＳ）に送信する。例示的な実施形態において、伝送は、基本的な順方向チャネル（Ｆ−ＦＣＨ ＴＸ）の上でなされても良い。先に前述したように、図１９に示される各々のサブセグメントは、ｃｄｍａ２０００における電力制御グループ（ＰＣＧ）に対応しても良い。ＢＳは、ＴＸフレーム ＃０のＰＣＧ ＃０で伝送を開始し、そして、ＡＣＫ信号１９４５がＰＣＧ ＃８の後でＭＳから受信されるまで、連続的にＰＣＧを送信する。すでに受信されたＰＣＧに基づいて全体のＴＸフレーム ＃０をＭＳがうまく復号化したことを、ＢＳにシグナルするために、ＡＣＫ信号がＭＳにより送信される。
【０１００】
ＡＣＫ １９４５を受信すると、ＢＳは、ＴＸフレーム ＃０に対応するＰＣＧの伝送をやめて、新しいフレームであるＴＸフレーム ＃１のためにＰＣＧを送信する前に、次のフレームであるＴＸフレーム ＃１の開始まで待つ。ＡＣＫ信号１９４５の受信及び処理に関連する有限の期間の間に、ＢＳはすでにＴＸフレーム ＃０のＰＣＧ ＃９を送信し始めたかもしれない点に留意されるべきである。
【０１０１】
参照番号１９１０〜１９４０は、ＢＳによるＴＸフレーム伝送の早期ターミネーションを可能にする、ＢＳに送信されるＡＣＫ信号１９４５を生成するために、ＭＳによりとられるアクションのタイミングを示す。
【０１０２】
１９１０において、ＭＳは、ＴＸフレーム＃０及びＴＸフレーム＃１のためのＰＣＧを、それぞれ、ＲＸフレーム＃０及びＲＸフレーム＃１として受信する。
【０１０３】
１９２０において、受信されるＲＸフレーム＃０に割り当てられたすべての１６個のＰＣＧを待つことなく、ＲＸフレーム＃０の各々のＰＣＧが受信されるにつれて、ＭＳは、ＲＸフレーム＃０を復号化しようと試みる。例示的な実施形態において、ＰＣＧ単位ベースでの上記復号化を達成するために、ＭＳは、後で図２０を参照して以下に説明される２０００のようなサブセグメント単位の復号化アルゴリズムを利用しても良い。
【０１０４】
１９２５において、ＰＣＧ ＃７を受信した後に、ＭＳは、ＲＸフレーム＃０の復号化に成功する（例えば受信ビットに関連するＣＲＣをチェックすることにより判定される）。ＭＳは、復号化の成功を宣言して、ＡＣＫ送信１９３０へ進む。
【０１０５】
１９２５で復号化の成功を宣言した後に、１９３０において、ＭＳは、逆方向リンクのＰＣＧ ＃８に関連する伝送の部分の間に、ＭＳ ＡＣＫ信号１９４５をＢＳに送信する。
【０１０６】
例示的な実施形態において、ＭＳは、復号化の成功が判定されたＰＣＧに直ぐ後のＰＣＧの間に又はそれ以降の任意のＰＣＧにおいて、単に、ＡＣＫ信号を送信しても良い。代わりの例示的な実施形態において、図１９に示されるように、ＡＣＫ信号１９４５の伝送のタイミングは、ＡＣＫマスク１９４０により制御されても良い。ＡＣＫマスクは、確認応答（acknowledgement）がいつ送信されてもよいか及び／又は確認応答がいつ送信されなくてもよいかを指定するために使用可能である。上記ＡＣＫマスクを提供することは、確認メッセージ（acknowledgement messages）を送信することによって利用される通信リンク・キャパシティーを制限するかもしれない。
【０１０７】
図１９において、ＡＣＫマスク１９４０は、逆方向リンク上でのＡＣＫ伝送がその間に可能にされる“１”を示すタイム・インターバルにより特徴付けられる。ＡＣＫ伝送は、“０”を示すタイム・インターバルの間、可能にされない。例示的な実施形態において、ＡＣＫ伝送を閾値ＰＣＧの後のタイム・インターバルだけに制限することによって、ＡＣＫマスクは、受信されたフレームの十分な部分が処理されたときのみ、復号化が試みられることを確実にすることができる。本開示に従って、ＭＳは、復号化が成功した直ぐ後のＡＣＫマスクにより“１”に指定される次の期間において、ＡＣＫメッセージを送信しても良い。
【０１０８】
本明細書で示される特定のＡＣＫマスク構成は、説明に役立つ目的だけのためであり、本開示の範囲を、示される何らかのＡＣＫマスクに制限することが意図されたものではない点に留意されるべきである。代わりのＡＣＫマスク構成は、ＡＣＫ伝送を、示されるそれとは異なるサブセグメント又はＰＣＧの部分の間に可能するために容易に提供されることができることを当業者は認識するであろう。そのような代わりの例示的な実施形態は、本開示の範囲内であると意図される。
【０１０９】
例示的な実施形態において、例えば図１１を参照して本明細書で前述されたように、ＡＣＫマスク・パターンは、ＮＲフレーム伝送をシグナルするために使用される、ＲＬゲーテッド・パイロット・パターンのためのパターンとオーバーラップしても良い。
【０１１０】
図２０は、本開示に従ったサブセグメント単位の復号化スキームの例示的な実施形態を示す。方法２０００は、説明に役立つ目的のためにだけ示され、本開示の範囲を示される何らかの特定の例示的な実施形態に制限することを意図されるものではない点に留意されるべきである。
【０１１１】
図２０において、ステップ２００１において、サブセグメント・インデックスｎは、ｎ＝０に初期化される。
【０１１２】
ステップ２００５において、方法は、サブセグメントｎについて、シンボルｙｎを受信する。
【０１１３】
ステップ２０１０において、本方法は、現在のフレームのサブセグメントｎまで含み受信される、すべてのシンボルｙΣｎを復調し、解析し、デインターリーブする。ｙΣｎは、例えば、サブセグメント０からサブセグメントｎまで受信されるすべてのトラフィック・シンボルを包括的に含んでも良い。ステップ２０１０の結果は、ｙ’Σｎとして示される。
【０１１４】
ステップ２０２０において、本方法は、シンボルｙ’Σｎを復号化し、結合する。シンボルｙ’Σｎは、一般に、フレーム全体について送信機により割り当てられる全シンボルｘのうちの一部のみに対応するが、シンボルｙ’Σｎのみを用いたフレーム全体の“早期”復号化は、それでも試みられてもよいことを、当業者は認識するであろう。そのような早期復号化の試みは、例えば非整数レート符号化によりもたらされるシンボルｘにおける冗長性、及び／又は、例えば図１６のステップ１６２０における繰り返し、及び／又は、図１６のステップ１６３０におけるインターリービングを介して達成される時間の次元の若しくは他の次元のダイバーシティーによって、復号化の成功のチャンスをもつことができる。
【０１１５】
ステップ２０２０において、符号化されたテイル・ビットは、信号２０２０ａを生成するために、復号化されたビット・シーケンスからさらにリムーブされても良い。
【０１１６】
ステップ２０３０において、本方法は、信号２０２０ａからＦＱＩをチェックし、そして、現在のフレームについて蓄積されたｎまでの受信サブセグメントから、ＦＱＩ結果２０３０ａを生成する。
【０１１７】
ステップ２０３５において、本方法は、ＦＱＩ結果が成功を示したかどうか評価する。そうであるならば、本方法は、ステップ２０４０に進み、ここでは、復号化が成功したと宣言され、そして、本方法は、順方向リンク伝送の早期ターミネーションを可能にするために、ＡＣＫメッセージ生成へ進む。次の利用できる機会は、例えば、図５を参照して説明されるように、ＡＣＫマスクにより指定されても良い。そうでないならば、本方法は、ステップ２０３７へ進む。
【０１１８】
ステップ２０３７において、本方法は、ｎを増加させ、そして、受信されるフレームに残された更なるサブセグメントが存在するかどうか判定する。そうであれば、本方法は、ステップ２００５に戻る。そうでなければ、本方法は、本フレームのための復号化が不成功であるとステップ２０６０で宣言することに進む。
【０１１９】
ステップ２０７０において、復号器は、次のフレームを評価することに進む。
【０１２０】
図２１は、本開示に従った順方向リンク・シンボル経路の例示的な実施形態２１１０に加えて、ｃｄｍａ２０００標準に従った、無線構成４（ＲＣ４）のための従来技術の順方向リンク・シンボル経路の実装２１００を示す。実装２１００において、フレーム品質インジケータは、フレーム・シンボル・レートに従って、フレームのビットに追加される長さ６、６、８又は１２のＣＲＣを含む。本開示に従った例示的な実施形態２１１０において、フレーム品質インジケータは、フレームのビットに追加される増加した長さ１２、１２、１２又は１２のＣＲＣを含む。増加した長さのＣＲＣの使用は、本開示に従った早期復号化スキームのパフォーマンスを向上させる。そして、例えば、本開示に従った早期復号化技術のための復号化の成功のより正確な検出を可能にする。本明細書により説明される特定のＣＲＣ長は、説明に役立つ目的に対してだけ提供され、本開示の範囲を説明される何らかの特定のＣＲＣ長に制限することが意図されたものではない点に留意されるべきである。
【０１２１】
実装２１００において更に示されるように、シンボル・パンクチャー・レートは、フレーム・シンボル・レートに応じて、１／５、１／９、Ｎｏｎｅ及びＮｏｎｅである。本開示に従った例示的な実施形態２１１０において、シンボル・パンクチャー・レートは、フレーム・シンボル・レートに応じて、１／３、１／５、１／２５及びＮｏｎｅである。例示的な実施形態２１１０における増加したパンクチャーリングが、例示的な実施形態２１１０により要求された増加した長さのＣＲＣに適応するために使用されても良いことを、当業者は認識するであろう。
【０１２２】
図２２は、順方向リンク伝送の早期ターミネーションのために逆方向リンク上でＡＣＫメッセージをシグナルするために使用されるシグナリング・スキーム２２００の例示的な実施形態を示す。図２２において、逆方向ＡＣＫチャネル（Ｒ−ＡＣＫＣＨ）２２１０は、変調器２２１４を用いて、ウォルシュ符号（Walsh code）Ｗ（６４，１６） ２２１２の上に、オン／オフ変調（on-off keying）（ＯＯＫ）を使用して変調されても良い。相対チャネル利得２２１６は、結果として生じる信号に適用され、加算結合器（additive combiner）２２１８に与えられる。
【０１２３】
図２２において、１５３６シンボル／２０ｍｓのレートをもつ逆方向基本チャネル（Ｒ−ＦＣＨ）２２２０は、変調器２２２４を用いて、ウォルシュ符号Ｗ（１６，４） ２２２２の上に変調される。相対チャネル利得２２２６は、結果として生じる信号に適用され、その結果はまた、加算結合器２２１８に与えられる。加算結合器の出力は、ＢＳへの逆方向リンク伝送のための直交（Ｑ）チャネル２２２８上で与えられても良い。示される例示的な実施形態において、逆方向パイロットチャネル（Ｒ−ＰＩＣＨ）２２３０を含む同相（Ｉ）チャネル２２３４も、与えられる。
【０１２４】
図２２を参照して示される逆方向リンクＡＣＫシグナリング・スキームの例示的な実施形態は、説明に役立つ目的のためにだけ与えられ、本開示の範囲をＡＣＫシグナリング・スキームの何らかの特定の実施形態に制限することが意図されたものではない点に留意されるべきである。逆方向リンク上でＡＣＫをシグナルするための代わりの技術は、異なるフォームの変調を適用すること及び示されたものとは異なるチャネル上でＡＣＫメッセージを送信することを含み、本開示に照らして、容易に導かれることができることを、当業者は認識するであろう。そのような代わりの例示的な実施形態は、本開示の範囲内であると意図される。
【０１２５】
図２３は、ｃｄｍａ２０００標準に従ってオペレートしているシステムのための逆方向リンク伝送の早期ターミネーションのためのスキーム２３００の例示的な実施形態を示す。例示的な実施形態は、説明に役立つ目的のためにだけ示され、本開示の範囲を示される何らかの特定の逆方向リンク初期ターミネーション・スキームに制限することが意図されたものではない点に留意されるべきである。本明細書で指し示される特定のＰＣＧ及びフレーム番号は、説明に役立つ目的だけのためであることを、当業者は認識するであろう。
【０１２６】
図２３において、モバイル局（ＭＳ）は、２３００で、一連のフレームを基地局（ＢＳ）に送信する。例示的な実施形態において、フレームは、逆方向基本チャネル（Ｒ−ＦＣＨ ＴＸ）上で送信されてもよい。図２３において、示される各々のサブセグメントは、電力制御グループ（ＰＣＧ）に対応する。ＭＳは、ＰＣＧ ＃０でＴＸフレーム＃０の伝送を開始し、そして、ＡＣＫ信号２３４５がＰＣＧ ＃８の後でＢＳから受信されるまで、連続的にＰＣＧを送信する。ＡＣＫ ２３４５を受信すると、ＭＳは、ＴＸフレーム＃０に対応するＰＣＧの伝送をやめて、ＴＸフレーム＃１に対応するＰＣＧを送信し始めるために、次のフレーム（ＴＸフレーム＃１）の開始まで待つ。
【０１２７】
参照番号２３１０〜２３４０は、ＭＳによる逆方向リンク・フレーム伝送の早期ターミネーションを可能にする、ＭＳへ送信されるＡＣＫ信号２３４５を生成するために、ＢＳによりとられるアクションのタイミングを示す。
【０１２８】
２３１０において、ＢＳは、ＴＸフレーム＃０及びＴＸフレーム＃１のＰＣＧを、それぞれ、ＲＸフレーム＃０及びＲＸフレーム＃１として受信する。
【０１２９】
２３２０において、受信されるＲＸフレーム＃０に割り当てられたすべての１６個のＰＣＧを待つことなく、各々の個々のＰＣＧが受信されるにつれて、ＢＳは、ＲＸフレーム＃０を復号化しようと試みる。例示的な実施形態において、ＰＣＧ単位ベースでの上記復号化を達成するために、ＢＳは、例えば図２０を参照して以前に説明された２０００のようなサブセグメント単位の復号化アルゴリズムを利用しても良い。
【０１３０】
２３２５において、ＰＣＧ ＃５を受信した後に、ＢＳは、復号化の成功を宣言し、そして、ＢＳ ＡＣＫ ＴＸ信号を生成するために、ＡＣＫ送信ステップ２３３０へ進む。
【０１３１】
ステップ２３２５で復号化の成功を宣言した後に、２３３０において、ＢＳは、順方向リンクのＰＣＧ ＃８に関連する伝送の部分の間に、ＡＣＫ信号２３４５を送信する。ＡＣＫ信号２３４５がその間に送信される部分は、対応するＡＣＫマスク２３４０により定義されても良い。
【０１３２】
例示的な実施形態において、以前に図１３を参照して本明細書で説明されたように、ＡＣＫマスク・パターンは、逆方向リンク（ＲＬ）電力伝送を制御するために電力制御コマンドが順方向リンク（ＦＬ）上で送信されるところのそれらＰＣＧの間にのみ、ＡＣＫ伝送を可能にしても良い。
【０１３３】
図２３において、２３５０は、逆方向リンク初期ターミネーション・スキームの例示的な実施形態に従った、ＭＳによる逆方向リンク・パイロット信号の伝送を更に示す。ステップ２３５０において、ＡＣＫ信号２３４５は、ＰＣＧ ＃８でＢＳからＭＳにより受信された後、ＭＳは、あらゆるＰＣＧでＲＬパイロット信号を送信するのをやめる。むしろ、示されるように、ＲＬパイロット信号伝送は、選択ＰＣＧについてゲートオフされても良い。これは、更なるＡＣＫシグナリング・メカニズムをＢＳに提供することに加えて、残りのＰＣＧのためのＲＬパイロット信号伝送電力を節約することに、ともに役立つことができる。例示的な実施形態において、例えば以前に図１１を参照して本明細書で説明されたように、残りのＰＣＧのＲＬゲーテッド・パイロット・パターンは、ＮＲフレーム伝送をシグナルするために使用されるパターンに対応しても良い。
【０１３４】
示される例示的な実施形態において、ＲＬパイロット信号は、ＰＣＧ９，１０，１３及び１４の間に、ゲートオフされる。一般に、早期ターミネートされたフレームの終わりまで、ＡＣＫ信号が送信された後、ＲＬパイロット信号は、２つのＰＣＧからなるグループが交互にゲートオフされても良い。ＮＲフレームのパイロット・ゲーティングと同様に、様々なスキームは、例えば、：１電力制御グループ ｏｎ／１電力制御グループ ｏｆｆ；２電力制御グループ ｏｎ／２電力制御グループ ｏｆｆ；及び、電力を削減するために使用可能な任意の他のパターン、のような、早期ターミネートされたフレームのパイロット・ゲーティングのために利用されてもよい点に更に留意されるべきである。
【０１３５】
図２４は、本開示に従った逆方向リンク・シンボル経路の例示的な実施形態２４１０に加えて、従来技術の逆方向リンク・シンボル経路の実装２４００を示す。実装２４００において、フレーム・シンボル・レートに応じて、長さ６、６、８又は１２のＣＲＣが、フレームのビットに追加される。本開示に従った例示的な実施形態２４１０において、増加した長さ１２、１２、１２又は１２のＣＲＣが、フレームのビットに追加されても良い。図２１において説明された順方向リンク処理の場合のように、増加した長さＣＲＣの使用は、本開示に従った早期復号化スキームのパフォーマンスを向上させる。そして、例えば、早期復号化技術のための復号化の成功のより正確な検出を可能にする。本明細書で説明される特定のＣＲＣ長は、説明に役立つ目的に対してだけ提供され、本開示の範囲を説明される何らかの特定のＣＲＣ長に制限することが意図されたものではない点に留意されるべきである。
【０１３６】
実装２４００において更に示されるように、シンボル・パンクチャー・レートは、フレーム・シンボル・レートに応じて、１／５、１／９、ＮＯＮＥ及びＮＯＮＥである。本開示による例示的な実施形態２４１０において、シンボル・パンクチャー・レートは、フレーム・シンボル・レートに応じて、１／３、１／５、１／２５及びＮＯＮＥである。例示的な実施形態２４１０における増加したパンクチャーリングの使用は、例示的な実施形態２４１０において同様に存在する、増加した長さのＣＲＣに適用しても良いことを、当業者は認識するであろう。
【０１３７】
例示的な実施形態において、ＢＳによりＭＳへ送信されるＡＣＫ信号は、順方向リンク・トラフィック・チャネルの予め定められた位置をもつビットを置換（supplanting）（パンクチャーリング）することと、ＭＳにＡＣＫ又はＮＡＫ（否定応答（no acknowledgement））をシグナルするための予め定められた位置においてオン／オフ変調（on-off keying）（ＯＯＫ）を使用することによって、提供されても良い。例示的な実施形態において、ＡＣＫビットは、逆方向リンク電力制御ビットで時間領域多重化（ＴＤＭ）されても良い。
【０１３８】
上で説明されたフレームの早期ターミネーションの態様は、ｃｄｍａ２０００の通信リンクの基本チャネルにだけでなく、“ハイデータレート”補助チャネルにもまた、適用されてもよい点に留意されるべきである。他の例示的な実施形態（図示せず）において、逆方向リンク上でのＡＣＫシグナリング・メカニズムは、ｃｄｍａ２０００標準に従ってオペレートしているシステムのための一つの順方向基本チャネル及び一つ又は複数の順方向補助チャネルの両方の上での伝送を制御するために提供されても良い。
【０１３９】
図２５は、一つの順方向基本チャネル（Ｆ−ＦＣＨ）及び／又は最高二つの順方向補助チャネル（Ｆ−ＳＣＨ１及びＦ−ＳＣＨ２）の早期ターミネーションのために逆方向リンク上でＡＣＫメッセージをシグナルするために使用されるシグナリング・スキーム２５００の例示的な実施形態を示す。
【０１４０】
図２５において、逆方向ＡＣＫチャネル（Ｒ−ＡＣＫＣＨ）２５２０は、変調器２５２４を用いて、ウォルシュ符号Ｗ（６４，１６） ２５２２の上に、２位相偏移変調（ＢＰＳＫ）を用いて変調される。例示的な実施形態において、Ｒ−ＡＣＫＣＨ ２５２０は、順方向基本チャネル（Ｆ−ＦＣＨ）上での伝送をターミネートするために、ＢＳをシグナルしてもよい。相対チャネル利得２５２６は、結果として生じる信号に適用され、加算結合器２５１８に与えられる。
【０１４１】
図２５において、第２の逆方向ＡＣＫチャネル（Ｒ−ＡＣＫＣＨ）２５１０は、変調器２５１４を用いて、ウォルシュ符号Ｗ（１６，１２） ２５１２の上に、２位相偏移変調（ＢＰＳＫ）を用いて変調される。例示的な実施形態において、ＡＣＫＣＨ ２５１０は、第１の順方向補助チャネル（Ｆ−ＳＣＨ１）上での伝送をターミネートするために、ＢＳをシグナルしても良い。相対チャネル利得２５１６は、結果として生じる信号に適用され、加算結合器２５１８に与えられる。
【０１４２】
図２５において更に示されるように、両方のＲ−ＡＣＫチャネルは、ＲＬ信号の直交（Ｑ）成分の上で、逆方向基本チャネル（Ｒ−ＦＣＨ）と結合されてもよい。Ｒ−ＦＣＨは、１５３６のシンボル／２０ｍｓのレートをもっても良く、また、変調器２５３４を用いて、ウォルシュ・コードＷ（１６，４） ２５３２の上に変調される。相対チャネル利得２５３６は、結果として生じる信号に適用され、加算結合器２５１８に与えられる。加算結合器の出力は、ＢＳへの逆方向リンク伝送のための直交（Ｑ）チャネル２５２８の上で与えられても良い。
【０１４３】
図２５において更に示されるように、第３の逆方向ＡＣＫチャネル（Ｒ−ＡＣＫＣＨ）２５５０は、変調器２５５４を用いて、ウォルシュ符号Ｗ（１６，８）２５５２の上に、オン／オフ変調（on-off keying）（ＯＯＫ）を使用して変調される。例示的な実施形態において、ＡＣＫＣＨ ２５５０は、第２の順方向補助チャネル（Ｆ−ＳＣＨ２）上での伝送をターミネートするために、ＢＳをシグナルしても良い。相対チャネル利得２５５６は、結果として生じる信号に適用され、加算結合器２５４８に与えられる。Ｒ−ＡＣＫＣＨ ２５５０は、同相（Ｉ）の逆方向リンク信号２５４４を生成するために、加算器２５４８を使用して、逆方向パイロットチャネル（Ｒ−ＰＩＣＨ）２５４０と結合されても良い。
【０１４４】
順方向チャネル及び逆方向チャネルのための特定のＡＣＫシグナリング・スキームの上記の説明図は、説明に役立つ目的のためにだけ与えられ、本開示の範囲を順方向チャネル及び逆方向チャネルのための何らかの特定のＡＣＫシグナリング・スキームに制限することが意図されたものではないことを、当業者は認識するであろう。例えば、電力制御ビット位置が電力制御に利用できない順方向補助チャネル（Ｆ−ＳＣＨ）のために、共通ＡＣＫチャネル（ＣＡＣＫＣＨ）が、代わりに使用されても良い。ＣＡＣＫＣＨにおけるＡＣＫチャネル・ビット位置は、各々のユーザのために別々に割り当てられても良く、そして、そのようなビット位置は、外部シグナリング（図示せず）を介して指示されても良い。そのような例示的な実施形態は、本開示の範囲内であると意図される。
【０１４５】
図２６は、本開示に従った方法２６００の例示的な実施形態を示す。方法２６００は、説明に役立つ目的のためにだけ示され、本開示の範囲を何らかの特定の方法に制限することが意図されたものではない点に留意されるべきである。
【０１４６】
ステップ２６１０において、ボイス・フレームが受信される。
【０１４７】
ステップ２６２０において、本方法は、受信されたボイス・フレームの早期復号化を試みる。例示的な実施形態において、早期復号化は、フレームのすべてのサブセグメントが受信されるのに先立って、試みられても良い。
【０１４８】
ステップ２６３０において、本方法は、試行されたボイス・フレーム復号化が成功していたかどうか判定する。例示的な実施形態において、ＣＲＣのようなフレーム品質インジケータは、フレーム復号化が成功していたかどうかを判定するためにチェックされても良い。
【０１４９】
ステップ２６４０において、確認応答信号（ＡＣＫ）は、ボイス・フレーム伝送をターミネートするために送信される。
【０１５０】
一つの態様に従って、無線通信デバイスを制御する方法は、アクセスポイントから確認メッセージを受信することを含み、ここで、該確認メッセージは、電力制御ビットのシンボル位置において受信される。本方法はまた、前記確認メッセージに応答して伝送を終了することを含む。他の態様に従って、無線通信デバイスを制御する方法は、アクセス端末から確認メッセージを受信することを含み、ここで、該確認メッセージは、電力制御ビットのシンボル位置において受信される。本方法はまた、確認メッセージに応答して伝送を終了することを含む。更に他の態様に従って、無線通信デバイスを制御する方法は、フレームの成功裏の復号化に応答して、順方向リンク上での該フレームの伝送をターミネートするために、確認メッセージを送信することを含む。更に他の態様に従って、無線通信装置は、これらのステップのうちの任意のものを実行するための手段を含む。無線通信装置は、これらステップの機能のうちの任意のものを実行するように構成されるプロセッサを含んでもよい。必要に応じて、コンピュータ読み取り可能な媒体は、これらステップのうちの任意のものを実行するためのインストラクションを含むコンピュータ・プログラム・インストラクションを含んでも良い。
【０１５１】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【０１５２】
本明細書で開示された例示的な実施形態に関連して説明された、各種の説明的な論理ブロック、モジュール、回路、及び、アルゴリズムのステップは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明的なコンポーネント、ブロック、モジュール、回路、及びステップが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本発明の例示的な実施形態の範囲からの逸脱をもたらすものとして説明されるべきではない。
【０１５３】
本明細書に開示された例示的な実施形態に関連して説明された、種々の説明的な役立つ、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【０１５４】
本明細書で開示される例示的な実施形態に関連して説明される方法又はアルゴリズムのステップは、直接、ハードウェアで実現されてもよいし、プロセッサにより実行されるソフトウェア・モジュールで実現されてもよいし、又は、それら二つの組み合せで実現されてもよい。ソフトウェア・モジュールは、ランダムアクセスメモリ（ＲＡＭ）、フラッシュメモリ、読み出し専用メモリ（ＲＯＭ）、電気的書換え可能ＲＯＭ（ＥＰＲＯＭ）、電気的消去可能ＰＲＯＭ（ＥＥＰＲＯＭ）、レジスタ、ハードディスク、リムーバブル・ディスク、ＣＤ−ＲＯＭ、又は当該技術において周知の任意の他のフォームの記憶媒体に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。プロセッサ及び記憶媒体は、ＡＳＩＣにおいて存在してもよい。ＡＳＩＣは、ユーザ端末に存在しても良い。代案では、プロセッサ及び記憶媒体は、ユーザ端末の個別のコンポーネントとして存在しても良い。
【０１５５】
１又は複数の例示的な（exemplary）実施形態において、説明された機能は、ハードウェア、ソフトウェア、ファームウェア、又はそれらの任意の組合せにより実装されることができる。ソフトウェアで実装される場合、該機能は、コンピュータ読み取り可能な媒体上の１又は複数のインストラクション又はコードとして、記憶され又は送信されることができる。コンピュータ読み取り可能な媒体は、ある場所から他の場所へのコンピュータプログラムの転送を容易にする任意の媒体を含むコンピュータ記憶媒体又は通信媒体の両方を包含する。記憶媒体は、コンピュータによりアクセスされることができる、どのような利用可能な媒体であっても良い。制限ではなく例として、上記コンピュータ読み取り可能な媒体は、ＲＡＭ、ＲＯＭ、ＥＥＰＲＯＭ、ＣＤ−ＲＯＭ若しくは他の光ディスクストレージ、磁気ディスクストレージ若しくは他の磁気ディスクデバイス、又は要求されたプログラムコードをインストラクション又はデータ構造の形で伝達又は記憶するために用いられることができ且つコンピュータによりアクセスされることができる任意の他の媒体を含むことができる。また、いかなるコネクションも、コンピュータ読み取り可能な媒体と適切に呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを複製（reproduce）し、一方、ディスク（discs）は、レーザーを使って光学的にデータをさせる。上記の組み合わせはまた、コンピュータ読み取り可能な媒体の範囲の中に含まれるべきである。
【０１５６】
開示された例示的な実施形態の前の説明は、当業者が本発明を製造又は使用できるようにするために提供される。これらの実施形態への種々の変形は、当業者には容易に明白になるであろう。また、本明細書で定義された一般的な原理は、本発明の精神又は範囲から逸脱することなく、他の例示的な実施形態に適用されても良い。それゆえ、本発明は、本明細書で示された実施形態に限定されることが意図されているのではなく、本明細書に開示された原理及び新規な特徴に合致する最も広い範囲を与えられることが意図されている。 
以下に、本願出願の当初の特許請求の範囲に記載された各請求項に対応する発明を付記する。 
［１］無線通信デバイスを制御する方法において、前記方法は、 
アクセスポイントから確認メッセージを受信すること（該確認メッセージは、電力制御ビットのシンボル位置において受信される）と、 
前記確認メッセージに応答して伝送を終了することを含む方法。 
［２］前記確認メッセージは、アクティブ・セット中の任意のセルから受信可能である請求項１の方法。 
［３］前記無線通信デバイスはアクセス端末を含む［１］または［２］の方法。 
［４］無線通信デバイスを制御する方法において、前記方法は、 
アクセス端末から確認メッセージを受信すること（該確認メッセージは、電力制御ビットのシンボル位置において受信される）と、 
前記確認メッセージに応答して伝送を終了することを含む方法。 
［５］前記無線通信デバイスはアクセスポイントを含む［４］の方法。 
［６］無線通信デバイスを制御する方法において、前記方法は、 
フレームの成功裏の復号化に応答して、順方向リンク上での該フレームの伝送をターミネートするために、確認メッセージを送信することを含む方法。 
［７］前記無線通信デバイスはアクセスポイントを含む［６］の方法。 
［８］前記無線通信デバイスはアクセス端末を含む［６］の方法。 
［９］［１］ないし［８］のいずれかの、任意の機能を実行するための手段を含む無線通信装置。 
［１０］［１］ないし［８］のいずれかの、任意の機能を実行するように構成されたプロセッサを含む無線通信装置。 
［１１］［１］ないし［８］のいずれかの、任意の機能を実行するためのインストラクションを含むコンピュータ・プログラム・インストラクションを含むコンピュータ読み取り可能な媒体。 
［１２］アペンディックスＡを含む付属された仮特許出願において開示された各々の発明のデバイス。 
［１３］アペンディックスＡを含む付属の仮特許出願において開示された各々の発明の方法。 
［１４］前記デバイスは、付属された仮特許出願において開示された少なくとも一つの発明のインストラクションを実行するためのインストラクションをその上に格納した機械読み取り可能な媒体である［１２］のデバイス。 
［１５］前記デバイスは、付属された仮特許出願において開示された発明の機能を実行するように構成されたプロセッサである［１２］のデバイス。
【図１】
0005591719.tif 000002
【図２】
0005591719.tif 000003
【図３】
0005591719.tif 000004
【図４】
0005591719.tif 000005
【図５】
0005591719.tif 000006
【図５Ａ】
0005591719.tif 000007
【図６】
0005591719.tif 000008
【図７】
0005591719.tif 000009
【図８】
0005591719.tif 000010
【図９】
0005591719.tif 000011
【図９Ａ】
0005591719.tif 000012
【図１０】
0005591719.tif 000013
【図１１】
0005591719.tif 000014
【図１２】
0005591719.tif 000015
【図１３】
0005591719.tif 000016
【図１４】
0005591719.tif 000017
【図１５】
0005591719.tif 000018
【図１６】
0005591719.tif 000019
【図１６Ａ】
0005591719.tif 000020
【図１７】
0005591719.tif 000021
【図１８】
0005591719.tif 000022
【図１９】
0005591719.tif 000023
【図２０】
0005591719.tif 000024
【図２１】
0005591719.tif 000025
【図２２】
0005591719.tif 000026
【図２３】
0005591719.tif 000027
【図２４】
0005591719.tif 000028
【図２５】
0005591719.tif 000029
【図２６】
0005591719.tif 000030